【手続補正書】
【提出日】平成21年12月24日(2009.12.24)
【手続補正１】
【補正対象書類名】明細書
【補正対象項目名】発明の名称
【補正方法】変更
【補正の内容】
【発明の名称】両面感熱媒体、両面感熱媒体の製造方法及び画像形成方法
【手続補正２】
【補正対象書類名】特許請求の範囲
【補正対象項目名】全文
【補正方法】変更
【補正の内容】
【特許請求の範囲】
【請求項１】
表面および裏面を有する第１の支持体であって、前記表面および前記裏面の少なくとも一部が、感熱インクでコーティングされている第１の支持体と、
表面および裏面を有する第２の支持体であって、前記表面の少なくとも一部が、感熱インクでコーティングされている第２の支持体と、を備え、
前記第２の支持体の少なくとも一部が、前記第１の支持体の前記表面に取り付けられる両面感熱媒体。
【請求項２】
前記第２の支持体の前記裏面の少なくとも第１の部分が、前記第２の支持体の前記第１の部分を前記第１の支持体の前記表面に除去可能に取り付けるための接着剤を含む、請求項１に記載の両面感熱媒体。
【請求項３】
前記第１の支持体の前記表面の少なくとも第１の部分が、前記第２の支持体の前記第１の部分を前記第１の支持体の前記表面から除去することができるように、剥離剤でコーティングされる、請求項２に記載の両面感熱媒体。
【請求項４】
前記第２の支持体の前記裏面の少なくとも第２の部分が、前記第２の支持体の前記裏面の前記第２の部分を、前記第１の支持体の前記表面に永久に取り付けるための接着剤でコーティングされる、請求項３に記載の両面感熱媒体。
【請求項５】
前記第２の支持体の少なくとも一部が、感圧接着剤により前記第１の支持体の前記表面に取り付けられる、請求項１に記載の両面感熱媒体。
【請求項６】
前記剥離剤が、シリコーンを含む、請求項３に記載の両面感熱媒体。
【請求項７】
表面と裏面を有する第３の支持体をさらに備え、前記第３の支持体の前記表面が、感熱インクでコーティングされ、前記第３の支持体の前記裏面の少なくとも一部を前記第２の支持体の前記表面に取り付けることができる、請求項１に記載の両面感熱媒体。
【請求項８】
表面と裏面を有する第３の支持体をさらに備え、前記第３の支持体の前記表面が、感熱インクでコーティングされ、前記第３の支持体の前記裏面の少なくとも一部を前記第１の支持体の前記裏面に取り付けることができる、請求項１に記載の両面感熱媒体。
【請求項９】
前記第２の支持体の少なくとも一部が、
前記第１の支持体のパーフォレーションした一部であって、前記パーフォレーションした一部が、除去可能なアドレス・ラベルであるパーフォレーションした一部と、
前記第１の支持体の前記表面上に予め印刷されたアドレス・ラベルと、
前記第１の支持体の少なくとも一部の前記裏面上に逆の画像フォーマットで予め印刷されたアドレス・ラベルであって、前記第１の支持体の少なくとも一部が透明であるアドレス・ラベルと、
前記第２の支持体の前記裏面上に印刷したアドレス・ラベルと、
のうちの少なくとも１つを露出するために、前記第１の支持体から除去することができる、請求項１に記載の両面感熱媒体。
【請求項１０】
画像要素を形成するために、第１の独立構成要素媒体と基材シートとを統合するステップを含み、
前記第１の独立構成要素媒体が、表面および裏面を有し、前記第１の独立構成要素媒体の前記表面および前記裏面の一方または両方が、感熱インクにより選択的にコーティングされ、
前記基材シートが表面と裏面を有し、前記基材シートの前記表面および前記裏面の一方または両方が感熱インクで選択的にコーティングされる、
ことを特徴とする両面感熱媒体の製造方法。
【請求項１１】
サーマル・プリンタ、平版印刷機、フレキソ印刷機またはインクジェット・プリンタにより、前記基材シートの前記表面および／または前記裏面の少なくとも一部上に情報を予め印刷するステップと、
をさらに含む、請求項１０に記載の両面感熱媒体の製造方法。
【請求項１２】
サーマル・プリンタ、平版印刷機、フレキソ印刷機またはインクジェット・プリンタにより、前記第１の独立構成要素媒体の前記表面および／または前記裏面の少なくとも一部上に情報を予め印刷するステップをさらに含む、請求項１０に記載の両面感熱媒体の製造方法。
【請求項１３】
前記第１の独立構成要素媒体を収容するために、前記基材シートの前記表面の少なくとも一部に接着剤を追加するステップと、
前記第１の独立構成要素媒体の前記裏面を前記基材シートの前記表面に接着するために、前記第１の独立構成要素媒体の前記裏面の少なくともいくつかの部分に感圧接着剤を追加するステップと、
前記第１の独立構成要素媒体の前記裏面の少なくとも一部、または前記基材シートの前記表面の少なくとも一部に剥離剤を追加し、前記基材シートの前記表面の少なくとも一部、または前記第１の構成要素媒体の前記裏面にそれぞれ接着剤を追加し、前記剥離剤部分が前記接着剤部分に対してインタフェースとしての働きをするステップと、
前記第１の独立構成要素媒体によりカバーされている前記基材シートの一部をパーフォレートするステップであって、前記第１の独立構成要素媒体の一部が前記基材シートから除去された場合に、前記パーフォレートした部分を前記基材シートから除去することができるステップと、
の各ステップ有する、請求項１０に記載の両面感熱媒体の製造方法。
【請求項１４】
前記画像要素を形成するために、第２の独立構成要素媒体を前記基材シート内に統合するステップを、さらに含み、
前記第２の独立構成要素媒体が、表面および裏面を有し、前記第２の構成要素媒体の前記表面および前記裏面の一方または両方が感熱インクで選択的にコーティングされる、ことを特徴とする請求項１０に記載の両面感熱媒体の製造方法。
【請求項１５】
前記画像要素を形成するために、第２の独立構成要素媒体を、前記第１の独立構成要素媒体内に入れ子状にするステップを、さらに含み、
前記第２の独立構成要素媒体が、表面および裏面を有し、前記第２の独立構成要素媒体の前記表面および前記裏面の一方または両方が、感熱インクで選択的にコーティングされる、ことを特徴とする請求項１０に記載の両面感熱媒体の製造方法。
【請求項１６】
表面および裏面を有する基材シートと、
前記基材シートの少なくとも第１の部分が、透明な材料を有し、前記第１の部分の少なくとも前記裏面が、第１のラベル情報により逆画像形成することができる感熱インク・コーティングと、
表面および裏面を有する第１のパッチと、を備え、
前記第１のパッチの前記裏面が、前記基材シートの前記第１の部分の前記表面に統合され、前記第１のパッチの前記表面の少なくとも第１の部分が、第２のラベル情報により画像形成することができる感熱インク・コーティングを含み、前記第１のパッチの少なくとも前記第１の部分を、前記第１のラベル情報を露出するために、前記基材シートの前記第１の部分から除去することができる両面感熱媒体。
【請求項１７】
前記第１のパッチの前記裏面が、第３のラベル情報により画像形成することができる感熱インク・コーティングを含む、請求項１６に記載の両面感熱媒体。
【請求項１８】
１つまたは複数の前記基材シートおよび前記第１のパッチ内に統合される第２のパッチを有する、請求項１６に記載の両面感熱媒体。
【請求項１９】
第１の支持体の表面および裏面の少なくとも一面が、感熱インクでコーティングされるステップと、
表面および裏面を有する第２の支持体を選択するステップであって、前記第２の支持体の前記表面の少なくとも一部が、感熱インクでコーティングされるステップと、
前記第２の支持体を前記第１の支持体上に統合するステップであって、前記第２の支持体の少なくとも一部を、統合した前記第１の支持体から除去することができるステップと、
の各ステップを含むことを特徴とする両面感熱媒体の製造方法。
【請求項２０】
１つまたは複数の前記第１の支持体および前記第２の支持体からダイカットにより除去することができるラベルを、さらに含み、
各ラベルがそれが関連する前記支持体からダイカットされる、ことを特徴とする請求項１９に記載の両面感熱媒体の製造方法。
【請求項２１】
前記第２の支持体を前記第１の支持体上に統合するステップが、縁部結合接着技術により前記第２の支持体を前記第１の支持体に結合するステップを含む、請求項１９に記載の両面感熱媒体の製造方法。
【請求項２２】
前記第１の支持体および第２の支持体の１つまたは複数の箇所に情報を予め画像形成するステップをさらに含む、請求項１９に記載の方法。
【請求項２３】
片面感熱画像形成可能な基材シートと、
両面感熱画像形成可能なパッチと、
接着層と、
剥離層と、を備え、
前記片面感熱画像形成可能な基材シートの少なくとも一部に前記接着層が塗布され、両面感熱画像形成可能なパッチの少なくとも一部に前記剥離層が塗布され、したがって、前記両面感熱画像形成可能なパッチが、前記片面感熱画像形成可能な基材シートの一部上に前記片面感熱画像形成可能な基材シートに固定できるように取り付けられ、前記両面感熱画像形成可能なパッチの一部上で、前記片面感熱画像形成可能な基材シートに除去可能に取り付けられる両面感熱媒体。
【請求項２４】
前記片面感熱画像形成可能な基材シートが、前記両面感熱画像形成可能なパッチとは異なる支持体を備える、請求項２３に記載の両面感熱媒体。
【請求項２５】
前記接着層が、紫外線または電子ビーム感圧接着材料の１つを有する、請求項２３に記載の両面感熱媒体。
【請求項２６】
前記剥離層が、スポット・パターンまたは連続している層の１つを有する、請求項２３に記載の両面感熱媒体。
【請求項２７】
サーマル・プリンタにより両面感熱画像要素を画像形成するステップと、
前記画像要素上に、画像形成された場合に、前記画像要素の表面の第１の部分を有するパッチの少なくとも一部上に第１のラベル情報を露出させ、前記画像要素の前記表面の第２の部分を有する基材シートの少なくとも一部上に第２のラベル情報を露出させるステップと、
の各ステップを含むことを特徴とする画像形成方法。
【請求項２８】
露出ステップが、前記画像要素の裏面の少なくとも一部上に第３のラベル情報を露出するステップを、さらに含むことを特徴とする請求項２７に記載の画像形成方法。
【請求項２９】
前記画像要素の前記表面の前記第１の部分を有する前記パッチの前記一部を、前記画像要素から除去した後で、前記画像要素の前記裏面から見た場合に前記第３のラベル情報が逆のフォーマットで露出し、前記画像要素の前記表面から見た場合に正しいフォーマットで前記第３のラベル情報が露出する、ことを特徴とする請求項２８に記載の画像形成方法。